(57)【特許請求の範囲】
【請求項１】
調理物を収納する加熱室と、調理物を出し入れするために前記加熱室の開口部に開閉自在に取りつけられた扉と、前記加熱室内の調理物を照らす照明装置と、前記加熱室へ高周波を発生する高周波発生装置と、前記高周波発生装置で発生した高周波を加熱室に導く導波管と、前記高周波発生装置を構成するマグネトロンを含む電気部品を冷却する送風機と、前記マグネトロンから前記加熱室内へ前記送風機による風を導くエアーガイドを備え、前記エアーガイドは金属の板状材料を略Ｕ字形状に折り曲げたものを、Ｕ字の底に該当する面を前記加熱室の外側面に接するように、かつＵ字の両側に該当する面を上下面とするように前記加熱室に取り付けた構成とし、前記エアーガイドの上面に前記照明装置を挿入するランプ用孔と逆Ｌ字形状のツメ部を設け、前記照明装置を前記ランプ用孔に挿入した際に前記逆Ｌ字形状のツメ部により前記照明装置を固定し、前記エアーガイドのＵ字の底に該当する面である中央面には、外側から前記加熱室側に向かって下向きに傾斜する突起面を備えた高周波加熱装置。
【請求項２】
前記逆Ｌ字形状のツメ部を２個備え、一方を前記照明装置に設けられた孔に差し込み、他方を照明装置の外周部を保持する構成とした請求項１に記載の高周波加熱装置。
【発明の詳細な説明】
【０００１】
【発明の属する技術分野】
本発明は、高周波加熱装置における、加熱室内に風を導くエアーガイドの構成に関するものである。
【０００２】
【従来の技術】
従来、この種の高周波加熱装置としては、加熱室内での結露や扉内面のくもりを防ぐ目的で、金属の板状材料や樹脂材料を略Ｕ字形状に形成し、加熱室内に風を導くとともに内側に照明装置を固定するエアーガイドを備えているようなものがあった。図５は、従来の高周波加熱装置の構成を示すものである。
【０００３】
図５において、１は調理物を収納する加熱室、２は調理物を出し入れする扉、３は加熱
室に高周波を供給するマグネトロン、４はマグネトロンに電源を供給する高圧トランス、５は電気部品を冷却する冷却ファン、６は加熱室に風を導くエアーガイド、７はマグネトロンを保持し発生した高周波を加熱室に導く導波管、８は加熱室の調理物を照らす照明装置である。
【０００４】
【発明が解決しようとする課題】
しかしながら、前記従来の構成では、エアーガイドに照明装置を取り付ける場合に、樹脂材料であれば固定用のツメ部を成型することで容易に保持することが可能であるが、金属板で形成する場合金属を折り曲げて引っ掛けるだけでは不充分で、どうしてもビスによる固定が必要であった。しかし照明装置をビスで固定してしまうと、高周波加熱装置の扉の開閉時に振動が直接フィラメントなどに伝わり断線するという問題があり、段付きの特殊なビスを使用したり、ビスと照明装置の間に干渉材をかまさなければならないという課題を有していた。
【０００５】
また、金属板は樹脂材料に比べ熱の変動が大きいため、調理終了後加熱室から逆流した蒸気が結露しやすく、水滴がエアーガイド下方に配置された電気部品などに滴下し、絶縁性能の低下を招くという課題も有していた。
【０００６】
本発明は、前記従来の課題を解決するもので、ビスを使用することなく照明装置を固定することができ、下方に水滴が滴下しにくい金属板で形成するエアーガイドを備えた高周波加熱装置を提供することを目的とする。
【０００７】
【課題を解決するための手段】
前記従来の課題を解決するために、本発明の高周波加熱装置は、金属板状材料で形成したエアーガイドの上面に２箇所の逆Ｌ字形状のツメ部を備え、一方を照明装置に設けられた孔に差し込み、他方が照明装置の外周部を保持すると共に、エアーガイドを高周波発生装置に取りつけた時に、照明装置の外周部が導波管に接し、エアーガイド中央面と下面に水滴を誘導するガイドを備える構成としたものである。
【０００８】
これによって、照明装置はエアーガイドのツメ部により若干のガタつきを持って保持され、外周部が導波管と接することでツメから外れるのを防ぐことができ、ビスを使用することなく照明装置を固定するとともに、エアーガイド中央面と下面に設けたガイドにより、エアーガイド下方の電気部品に水滴が滴下しないように誘導することが可能となる。
【０００９】
【発明の実施の形態】
請求項１に記載の発明は、調理物を収納する加熱室と、調理物を出し入れするために加熱室開口部に開閉自在に取りつけられた扉と、前記加熱室内の調理物を照らす照明装置と、前記加熱室へ高周波を発生する高周波発生装置と、前記高周波発生装置で発生した高周波を加熱室に導く導波管と、前記高周波発生装置を構成するマグネトロンを含む電気部品を冷却する送風機と、前記マグネトロンから加熱室内へ送風機による風を導くエアーガイドを備え、前記エアーガイドは金属の板状材料を略Ｕ字形状に折り曲げたものを、Ｕ字の底に該当する面を加熱室の外側面に接するように、かつＵ字の両側に該当する面を上下面とするように加熱室に取り付けた構成とし、エアーガイドの上面に照明装置を挿入するランプ用孔と逆Ｌ字形状のツメ部を設け、照明装置をランプ用孔に挿入した際に逆Ｌ字形状のツメ部により照明装置を固定し、エアーガイドのＵ字の底に該当する面である中央面には、外側から加熱室側に向かって下向きに傾斜する突起面を備えたことにより、加熱室から逆流した蒸気がエアーガイド中央面に結露し、水滴が内面に沿って落ちてきた時に加熱室側に向かって下向きに傾斜している突起面に当たり、水滴は突起に沿って加熱室壁面側に誘導されることになり、水滴がエアーガイドから下方の電気部品に滴下して絶縁性能の低下を招くことを防止することができる。
【００１０】
請求項２に記載の発明は、エアーガイドの上面に、２箇所の逆Ｌ字形状のツメ部を備え、一方を前記照明装置に設けられた孔に差し込み、他方を照明装置の外周部を保持することができる。
【００１１】
【実施例】
以下本発明の実施例について、図面を参照しながら説明する。
【００１２】
（実施例１）
図１は、本発明の第１の実施例における高周波加熱装置のエアーガイドの外観を示すものである。
【００１３】
図２は、本発明の第１の実施例における高周波加熱装置の照明装置を取り付ける時のエアーガイドを上方から見た構成を示すものである。
【００１４】
図１、２において、９ａはエアーガイドの中央面、９ｂはエアーガイド上面、９ｃはエアーガイド下面（図示せず）であり、それぞれの境界部分にスリット状穴１０が設けられ、上面９ｂ、下面９ｃを折り曲げることで略Ｕ字形状のエアーガイドとして構成される。また、上面９ｂには加熱室内の調理物を照らす照明装置であるランプ１２を固定するランプ用孔１１を有し、孔の周囲に逆Ｌ字形状のツメ部１５ａ、１５ｂを備えている。ランプ１２は樹脂で成型された保持部１３を備え、２箇所の保持孔１４ａ、１４ｂが設けられている。
【００１５】
図３は、本発明の第１の実施例における高周波加熱装置の高周波発生装置装置に取り付けた時のエアーガイドを上方から見た構成を示すものである。
【００１６】
図３において、エアーガイドは上面９ｂに設けられた孔１６によりマグネトロン１７にビスなどで固定される。また、マグネトロン１７は導波管１８に溶接などで固定された導波管保持板１９とビスなどで固定され、エアーガイド上面９ｂの外周部は保持板１９に近接するように構成されている。
【００１７】
図４は、本発明の第１の実施例における高周波加熱装置のエアーガイド内面の構成を示すものである。
【００１８】
図４において、エアーガイド中央面９ａには内側に凸形状で外側から加熱室側に傾斜した突起面２０が構成されている。また、エアーガイド下面９ｃには外側から加熱室に向かって傾斜する傾斜面２１が構成されている。
【００１９】
以上のように構成された高周波加熱装置について、以下にその動作、作用を説明する。
【００２０】
まず、エアーガイド上面９ｂには加熱室内の調理物を照らす照明装置であるランプ１２を固定するランプ用孔１１を有し、孔の周囲に逆Ｌ字形状のツメ部１５ａ、１５ｂを備えている。一方のツメ１５ａはランプ用孔１１の中心方向に向けて逆Ｌ字形状に折り曲げて形成され、他方のツメ１５ｂはランプ用孔１１の中心方向に対して角度を持って逆Ｌ字形状に折り曲げて形成されている。ランプ１２は樹脂で成型された保持部１３を備え、２箇所の保持孔１４ａ、１４ｂが設けられている。ランプを取り付ける時は、ランプ１２をランプ用孔１１に差しこみ一方の保持孔１４ａにツメ部１５ａを勘合させる。その時、ランプ１２はランプ用孔１１の中心からツメ部１５ｂと反対方向にずらせることで、ツメ部１５ｂと保持部１３が干渉することなく差しこむことができる。その後、保持部１３をツメ部１５ｂの方向にスライドさせる事で、ランプ１２とランプ用孔１１の中心を合わせ保持
部１３の外周をツメ部１５ｂに勘合させる。この時、ツメ部１５ａ、１５ｂの高さ寸法を保持部１３の厚み寸法より若干大きくする事で、ランプ１２にガタツキを持たせて固定することができる。
【００２１】
また、ランプ１２とランプ用孔１１の中心を合わせて取り付けた時、保持部１３の外周のツメ部１５ｂに相対する辺はエアーガイド上面９ｂの外周に近接された位置関係で固定される。エアーガイドをマグネトロン１７にビスなどで固定した時、導波管保持板１９はエアーガイド上面９ｂの外周部に近接し、結果として保持部１３の外周部と接する構成となる。
【００２２】
また、エアーガイド中央面９ａの内側に凸形状で外側から加熱室側に下向きに傾斜した突起面２０が構成することで、加熱室から逆流した蒸気がエアーガイド中央面に結露し、水滴２２が面に沿って落ちてきた時に加熱室側に向かって傾斜している突起面に当たり、水滴２２は突起に沿って加熱室側に誘導されることになる。
【００２３】
また、エアーガイド下面９ｃに外側から加熱室に向かって傾斜する傾斜面２１を構成することで、加熱室から逆流した蒸気が結露しエアーガイド下面に付着しても、水滴２３は傾斜面２１に沿って加熱室側に誘導されることになる。
【００２４】
以上のように、本実施例においてはエアーガイド上面に２箇所の逆Ｌ字形状のツメ部を形成し、一方を前記照明装置に設けられた孔に差し込み、他方を照明装置の外周部を保持することにより、ビスを使用することなく照明装置が若干のガタつきを持って保持されることとなり、安価で作業性を損なうことなく高周波加熱装置の扉の開閉時に、振動が直接フィラメントなどに伝わり断線するという問題を防ぐことができる。
【００２５】
なお、照明装置の孔に差しこむツメ部は孔の大きさから幅の制約を受けるが、照明装置の外周部を保持するツメ部は幅の制約がないので、大きくすることで固定を安定させることが可能である。
【００２６】
また、照明装置を外周部の一方がエアーガイドの端面に近接する位置に取り付けることにより、エアーガイドを高周波発生装置に取りつけた時に、照明装置の外周部が導波管に接することとなり、照明装置がエアーガイドのツメ部から外れることを防止することができる。
【００２７】
また、エアーガイドの中央面に、外側から加熱室側に向かって下向きに傾斜する突起面を備えることにより、加熱室から逆流した蒸気がエアーガイド中央面に結露し、水滴が面に沿って落ちてきた時に加熱室側に向かって傾斜している突起面に当たり、水滴は突起に沿って加熱室側に誘導されることになり、水滴がエアーガイドから下方の電気部品に滴下して絶縁性能の低下を招くことを防止することができる。
【００２８】
なお、突起の形状については、本実施例では丸形状を用いたが、三角など他の形状でも同様の効果を得る事ができる。
【００２９】
なお、本実施例では１本の突起面の例を示したが、複数の突起面を構成することで更に効果を上げることは可能である。
【００３０】
また、エアーガイド下面に外側から加熱室に向かって傾斜する傾斜面を備えることにより、加熱室から逆流した蒸気が結露しエアーガイド下面に付着しても、水滴は傾斜面に沿って加熱室側に誘導されることになり、水滴がエアーガイドから下方の電気部品に滴下して絶縁性能の低下を招くことを防止することができる。
【００３１】
【発明の効果】
以上のように、本願発明によれば、ビスを使用することなく照明装置を固定することができ、下方に水滴が滴下しにくい金属板で形成する安価なエアーガイドを備えた高周波加熱装置を構成することができる。
【図面の簡単な説明】
【図１】  本発明の実施例１における高周波加熱装置のエアーガイドの外観斜視図
【図２】  本発明の実施例１における照明装置を取り付ける時のエアーガイドを上方から見た平面図
【図３】  本発明の実施例１における高周波発生装置装置に取り付けた時のエアーガイドを上方から見た構成示す要部拡大図
【図４】  本発明の実施例１におけるエアーガイド内面の構成をを示す要部拡大図
【図５】  従来の高周波加熱装置の外観斜視図
【符号の説明】
１２  ランプ
１５  逆Ｌ字形状ツメ部
１７  マグネトロン
１８  導波管
１９  導波管保持板
２０  突起面
２１  傾斜面
【図１】
0003832317.tif 000002
【図２】
0003832317.tif 000003
【図３】
0003832317.tif 000004
【図４】
0003832317.tif 000005
【図５】
0003832317.tif 000006